(57)【要約】【課題】キャップおよびフード等の各種アクセサリの装着および非装着を検出する。【解決手段】光学機器２は、被写体を照明する発光手段２０５と、光を検出する光検出手段２０７とを有する。光検出手段は、アクセサリ３の非装着状態では外光および発光手段からの光のうち少なくとも一方が入射し、アクセサリの装着状態では該アクセサリによって外光および発光手段からの光の入射が遮られるように設けられている。アクセサリ３は、光学機器に装着された状態において、発光手段からの光の光検出手段への入射を遮る第１の遮光部３ｃと、外光の光検出手段への入射を遮る第２の遮光部３ｂとを有する。【選択図】図４
2017142411.tif 000002
【特許請求の範囲】
【請求項１】
アクセサリが取り外し可能に装着される光学機器であって、
被写体を照明する発光手段と、
光を検出する光検出手段とを有し、
前記光検出手段は、前記アクセサリの非装着状態では外光および前記発光手段からの光のうち少なくとも一方が入射し、前記アクセサリの装着状態では該アクセサリによって前記外光および前記発光手段からの光の入射が遮られるように設けられていることを特徴とする光学機器。
【請求項２】
前記発光手段は、前記光検出手段から出力される前記アクセサリの非装着状態および装着状態のうち少なくとも一方を示す検出信号に応じて制御されることを特徴とする請求項１に記載の光学機器。
【請求項３】
前記光学機器は、撮像装置に対して取り外し可能に装着されるレンズ装置であり、
前記発光手段は、前記撮像装置に設けられた制御手段によって前記検出信号に応じて制御されることを特徴とする請求項２に記載の光学機器。
【請求項４】
前記発光手段を前記検出信号に応じて制御する制御手段を含むことを特徴とする請求項２に記載の光学機器。
【請求項５】
前記発光手段は、該発光手段の点灯中における前記アクセサリの装着状態を示す前記検出信号に応じて、消灯または減光するように制御されることを特徴とする請求項１から４のいずれか一項に記載の光学機器。
【請求項６】
前記発光手段は、該発光手段の消灯中における前記アクセサリの非装着状態を示す前記検出信号に応じて、点灯するように制御されることを特徴とする請求項１から５のいずれか一項に記載の光学機器。
【請求項７】
前記発光手段は、撮影光学系を収容した鏡筒における被写体側の端部に設けられていることを特徴とする請求項１から６のいずれか一項に記載の光学機器。
【請求項８】
前記発光手段は、装着された前記アクセサリによって覆われることを特徴とする請求項１から７のいずれか一項に記載の光学機器。
【請求項９】
請求項１から８のいずれか一項に記載の光学機器に取り外し可能に装着されるアクセサリであって、
前記光学機器に装着された状態において、前記発光手段からの光の前記光検出手段への入射を遮る第１の遮光部と、外光の前記光検出手段への入射を遮る第２の遮光部とを有することを特徴とするアクセサリ。
【請求項１０】
前記アクセサリは、前記撮影光学系の被写体側の外面を覆うキャップおよび前記撮影光学系への不要光の入射を遮るフードであることを特徴とする請求項９に記載のアクセサリ。
【発明の詳細な説明】
【技術分野】
【０００１】
本発明は、アクセサリが装着可能な光学機器に関し、特にアクセサリの着脱に応じて発光部の制御を行う光学機器に関する。
【背景技術】
【０００２】
交換レンズやレンズを一体に備えたカメラ等の光学機器には、レンズの前面を覆うレンズキャップや不要な外光をカットするためのレンズフードの装着が可能なものがある。また、光学機器には、被写体を照明する照明装置やＡＦ（自動焦点調節）に際して暗い被写体に補助光を照射する発光部を有するものもある。
【０００３】
特許文献１には、発光部から被写体に光を照射したときにレンズを透過して撮像素子に到達した光の輝度を示すＴＴＬ測光出力とカメラの外面に設けられた外光センサ（照度センサ）からの出力とを用いてレンズキャップの装着を判定する撮像装置が開示されている。この撮像装置は、発光部が発光したときにＴＴＬ測光出力が増加せず、外光センサからの出力が増加すると、レンズキャップが装着されていると判定する。
【先行技術文献】
【特許文献】
【０００４】
【特許文献１】特開２００８−１５８０５８号公報
【発明の概要】
【発明が解決しようとする課題】
【０００５】
しかしながら、特許文献１にて開示された撮像装置は、レンズキャップの装着の有無を判定することは可能であるが、レンズフードの装着の有無は判定することができない。これは、レンズフードを装着した場合と装着していない場合とでＴＴＬ測光出力に変化はないからである。
【０００６】
一方、近接撮影（マクロ撮影）用の交換レンズには、鏡筒の前端部に発光部が配置され、さらにレンズキャップがレンズの前面とともに発光部を覆うように装着されるものがある。このような交換レンズでは、レンズキャップが装着された状態で発光部が点灯すると、発光部からの光がレンズキャップの内面で反射してレンズを透過し、撮像素子に到達する。この結果、ＴＴＬ測光出力を用いてレンズキャップの装着を判定することができなくなる。
【０００７】
本発明は、レンズキャップおよびレンズフード等の各種アクセサリの装着および非装着を検出することができるようにした光学機器を提供する。
【課題を解決するための手段】
【０００８】
本発明の一側面としての光学機器は、被写体を照明する発光手段と、光を検出する光検出手段とを有する。そして、光検出手段は、アクセサリの非装着状態では外光および発光手段からの光のうち少なくとも一方が入射し、アクセサリの装着状態では該アクセサリによって外光および発光手段からの光の入射が遮られるように設けられていることを特徴とする。
【０００９】
また、本発明の他の一側面としてのアクセサリは、上記光学機器に取り外し可能に装着される。該アクセサリは、光学機器に装着された状態において、発光手段からの光の光検出手段への入射を遮る第１の遮光部と、外光の前記光検出手段への入射を遮る第２の遮光部とを有することを特徴とする。
【発明の効果】
【００１０】
本発明によれば、レンズキャップおよびレンズフード等の各種アクセサリの装着および非装着を検出することができる。
【図面の簡単な説明】
【００１１】
【図１】本発明の実施例である交換レンズとカメラの構成を示すブロック図。
【図２】実施例の交換レンズとカメラの外観図。
【図３】実施例の交換レンズ（アクセサリ非装着状態）の断面図。
【図４】実施例の交換レンズ（レンズフード装着状態）の断面図。
【図５】実施例の交換レンズ（レンズキャップ装着状態）の断面図。
【図６】実施例のカメラが行う処理を示すフローチャート。
【発明を実施するための形態】
【００１２】
以下、本発明の実施例について図面を参照しながら説明する。
【００１３】
図１には、本発明の実施例である光学機器としての交換レンズ（レンズ装置）２および該交換レンズ２が取り外し可能に装着されるカメラ（撮像装置）の内部構成を示している。また、図２には、これら交換レンズ２とカメラ１の外観を示している。本実施例の交換レンズ２は、近接撮影（マクロ撮影）に用いられる。
【００１４】
交換レンズ２は、複数のレンズ２０１および絞り２２を含む撮影光学系を収容する鏡筒部２３を有する。鏡筒部２３のうち撮影光学系を囲む部分における被写体側の端部である前端部には、発光手段としてのＬＥＤ（発光素子）２０５が周方向に複数設けられている（図には２つのＬＥＤ２０５を示す）。ＬＥＤ２０５の発光面は、被写体側（前側）を向いている。なお、図１には示していないが、図２に示すように、複数のＬＥＤ２０５の前側には周方向に延びるリング状の拡散板２２０が配置されている。複数のＬＥＤ２０５から発せられた光（以下、照明光という）は拡散板２２０によって拡散されて均一に被写体を照明する。
【００１５】
また、鏡筒部２３の前端部における１つのＬＥＤ２０５よりも径方向内側（光軸側）には光検出手段としての受光素子２０７が設けられている。受光素子２０７は、その受光面がＬＥＤ２０５の発光面よりも前側において径方向外側を向くように配置されており、ＬＥＤ２０５からの照明光の一部と鏡筒部２３の前端開口から入射する外光（交換レンズ２の周辺の光）を受光できるように配置されている。
【００１６】
図３には、交換レンズ２（鏡筒部２３）の前端部の断面を拡大して示している。なお、図３では、拡散板２２０の図示を省略している。撮影光学系のうち最も被写体側のレンズ２０１は、レンズ保持部材２０２により保持されている。レンズ保持部材２０２は不図示のカムフォロアを有し、該カムフォロアは案内筒２０３に設けられた直進溝部（図示せず）と案内筒２０３の外周に配置されたカム筒２０４に設けられたカム溝部（図示せず）とに係合している。このため、カム筒２０４が案内筒２０３に対して周方向に（光軸回りで）回転すると、カム溝部のリフトと直進溝部のガイドによってレンズ２０１が光軸方向に移動し、焦点調節や変倍を行うことができる。図１に示した複数のＬＥＤ２０５は、案内筒２０３の前端部に固定されている。
【００１７】
一方、図１および図２に示した受光素子２０７は、案内筒２０３の内周に設けられた固定筒２０６の前端部に固定されている。受光素子２０７の役割については後述する。
【００１８】
カム筒２０４の外周には、アクセサリ装着部としての筒状のアクセサリ保持枠２０８が配置されている。このアクセサリ保持枠２０８の内周には不図示の雌ねじ部が形成されており、該雌ねじ部を利用して、図４に示すレンズフード３、図５に示すレンズキャップ４および不図示の光学フィルタ等のアクセサリを取り外し可能に装着することができる。レンズキャップは、レンズ２０１の前面（外面）を覆って保護するための部材であり、レンズフードは撮影光学系への不要光の入射を遮るための部材である。
【００１９】
さらに、図１および図２に示すように、鏡筒部２３の外周面には、ユーザにより操作される照明スイッチ２０９が設けられている。照明スイッチ２０９がオン操作されると、レンズＣＰＵ２５が該オン操作を示す照明オン信号をカメラ１に搭載された制御手段としてのカメラＣＰＵ１２に送信する。照明オン信号を受信したカメラＣＰＵ１２は、レンズＣＰＵ２５に複数のＬＥＤ２０５を点灯させるよう指示する。これにより、複数のＬＥＤ２０５が点灯して被写体が照明される。一方、照明スイッチ２０９がオフ操作されると、レンズＣＰＵ２５が該オフ操作を示す照明オフ信号をカメラＣＰＵ１２に送信する。照明オフ信号を受信したカメラＣＰＵ１２は、レンズＣＰＵ２５に複数のＬＥＤ２０５を消灯させるよう指示する。これにより、複数のＬＥＤ２０５が消灯される。
【００２０】
カメラ１には、上述したカメラＣＰＵ１２と、撮像素子１１とが設けられている。撮像素子１１は、ＣＭＯＳセンサやＣＣＤセンサ等の光電変換素子であり、交換レンズ２（撮影光学系）により形成された被写体像を撮像（光電変換）して画像データを生成する。画像データは、不図示の記録媒体に記録されたり、不図示の表示部に表示されたりする。
【００２１】
次に、受光素子２０７の役割と、該受光素子２０７からの信号を受けたカメラＣＰＵ１２が行う処理（動作）について説明する。
【００２２】
受光素子２０７は、先にも説明したように、ＬＥＤ２０５からの照明光を受光できる（つまりは該照明光を検出可能）であるとともに、前述したように外光も受光できる。受光素子２０７は、照明光および外光のうち少なくとも一方を受光すると、その強度に応じた光検出信号を出力する。光検出信号はレンズＣＰＵ２５を通じてカメラＣＰＵ１２に送信される。カメラＣＰＵ１２は、光検出信号が所定値（閾値）より高い場合は、アクセサリ保持枠２０８にアクセサリが装着されていないアクセサリ非装着状態であると判定（検出）する。閾値は、受光素子２０７が外光を全く受光せず、ＬＥＤ２０５からの照明光の一部のみを受光するだけでも該閾値を超えるように設定される。
【００２３】
カメラＣＰＵ１２は、アクセサリ非装着状態であるとの判定に応じてレンズＣＰＵ２５に対してＬＥＤ２０５を点灯させる指令を送信する。これにより、点灯中のＬＥＤ２０５の点灯を維持したり、消灯中のＬＥＤ２０５を点灯させたりすることができる。
【００２４】
図４には、アクセサリ保持枠２０８にレンズフード（以下、単にフードという）３が装着された状態を示している。フード３は、アクセサリ保持枠２０８の雌ねじ部に結合される雄ねじ部３ａと、該雄ねじ部３ａの前端から径方向内側に延びて固定筒２０６の前端部付近まで張り出すフード部３ｂとを有する。また、フード３は、フード部３ｂの裏面から被写体側とは反対側に延びる第１の遮光部としての遮光壁３ｃを有する。
【００２５】
アクセサリ保持枠２０８にフード３が装着されると、ＬＥＤ２０５の発光面は、雄ねじ部３ａ、フード部３ｂおよび遮光壁３ｃによって覆われる。これにより、ＬＥＤ２０５が点灯中であっても該ＬＥＤ２０５からの照明光は外部（被写体）に照射されなくなる。このため、フード３の装着状態では、ユーザが照明スイッチ２０９をオフ操作してＬＥＤ２０５を消灯させるべきである。しかし、ユーザが照明スイッチ２０９をオフ操作することを忘れると、ＬＥＤ２０５が点灯し続け、無駄な電力が消費されることになる。
【００２６】
これに対して本実施例では、アクセサリ保持枠２０８にフード３が装着されると、遮光壁３ｃがＬＥＤ２０５と受光素子２０７との間に配置される。しかも、受光素子２０７の前側には、第２の遮光部としてのフード部３ｂが張り出す。このため、受光素子２０７へのＬＥＤ２０５からの照明光および外光の入射が遮られ、受光素子２０７からは前述した閾値よりも低い光検出信号しか出力されない。
【００２７】
閾値より低い光検出信号をレンズＣＰＵ２５を介して受信したカメラＣＰＵ１２は、アクセサリ保持枠２０８にアクセサリが装着されたアクセサリ装着状態であると判定（検出）し、該判定に応じてレンズＣＰＵ２５に対してＬＥＤ２０５を消灯させる指令を送信する。これにより、点灯中のＬＥＤ２０５を消灯させることができる。
【００２８】
図５には、アクセサリ保持枠２０８にレンズキャップ（以下、単にキャップという）４が装着された状態を示している。キャップ４は、アクセサリ保持枠２０８の雌ねじ部に結合される雄ねじ部４ａと、該雄ねじ部４ａの前端から径方向内側に延びてレンズ２０１の前面を覆うカバー部４ｂとを有する。また、キャップ４は、カバー部４ｂの裏面から被写体側とは反対側に延びる第１の遮光部としての遮光壁４ｃを有する。
【００２９】
アクセサリ保持枠２０８にキャップ４が装着されると、ＬＥＤ２０５の発光面は、雄ねじ部４ａ、カバー部４ｂおよび遮光壁４ｃによって覆われる。これにより、ＬＥＤ２０５が点灯中であっても該ＬＥＤ２０５からの照明光は外部に照射されなくなる。このため、フード３の装着時と同様にキャップ４の装着状態でも、ユーザが照明スイッチ２０９をオフ操作してＬＥＤ２０５を消灯させるべきである。しかし、ユーザが照明スイッチ２０９をオフ操作することを忘れる場合がある。
【００３０】
本実施例では、アクセサリ保持枠２０８にキャップ４が装着されると、遮光壁４ｃがＬＥＤ２０５と受光素子２０７との間に配置される。しかも、受光素子２０７の前側は、第２の遮光部としてのカバー部４ｂによって覆われる。このため、受光素子２０７へのＬＥＤ２０５からの照明光および外光の入射が遮られ、受光素子２０７からは前述した閾値よりも低い光検出信号しか出力されない。したがって、フード３の装着時と同様に、カメラＣＰＵ１２は、アクセサリ保持枠２０８にアクセサリが装着されたアクセサリ装着状態であると判定し、レンズＣＰＵ２５に対してＬＥＤ２０５を消灯させる指令を送信する。これにより、点灯中のＬＥＤ２０５を消灯させることができる。
【００３１】
なお、カメラＣＰＵ１２は、アクセサリ装着状態においてＬＥＤ２０５を消灯させることに代えて、ＬＥＤ２０５の発光輝度を低下させる（減光させる）ようにしてもよい。また、カメラＣＰＵ１２は、ＬＥＤ２０５を消灯させたり減光させたりすることに代えて、上述した表示部にＬＥＤ２０５が点灯中である（消し忘れている）ことを示す警告表示を行ったり警告音を発したりしてもよい。これらの消灯、減光または警告を行う制御により、ＬＥＤ２０５の消し忘れによる無駄な電力消費を抑えることができる。
【００３２】
図６のフローチャートには、前述したカメラＣＰＵ１２が行う処理の流れを示している。カメラＣＰＵ１２は、コンピュータプログラムとしての処理プログラムに従って該処理を行う。
【００３３】
ステップＳ１にてカメラ１への交換レンズ２の装着を検出したカメラＣＰＵ１２は、ステップＳ２において、照明スイッチ２０９がオン操作されたか否かを判定する。オン操作された場合はステップＳ３に進み、オン操作されていなければステップＳ４に進む。
【００３４】
ステップＳ３では、カメラＣＰＵ１２は、受光素子２０７からの光検出信号をレンズＣＰＵ２５から受信して、アクセサリ装着状態かアクセサリ非装着状態かを判定する。アクセサリ装着状態と判定した場合はステップＳ４に進み、アクセサリ非装着状態と判定した場合はステップＳ６に進む。
【００３５】
ステップＳ４では、カメラＣＰＵ１２は、ＬＥＤ２０５が点灯（ＯＮ）状態か否かを判定する。点灯状態であるときはステップＳ５に進み、消灯（ＯＦＦ）状態であるときはそのままステップＳ２に戻る。
【００３６】
ステップＳ５では、カメラＣＰＵ１２は、ＬＥＤ２０５を消灯させる。この消灯に代えて、前述したようにＬＥＤ２０５を減光させたり警告を行ったりしてもよい。そして、ステップＳ２に戻る。
【００３７】
一方、ステップＳ６では、カメラＣＰＵ１２は、ＬＥＤ２０５が消灯（ＯＦＦ）状態か否かを判定する。消灯状態であるときはステップＳ７に進み、点灯状態であるときはステップＳ２に戻る。
【００３８】
ステップＳ７では、カメラＣＰＵ１２は、ＬＥＤ２０５を点灯させる。これにより、ステップＳ５においてＬＥＤ２０５が消灯された後にアクセサリ保持枠２０８からアクセサリが取り外された場合に、ＬＥＤ２０５を自動的に点灯させることができる。この後、ステップＳ２に戻る。
【００３９】
以上説明したように、本実施例によれば、アクセサリが装着された状態でのＬＥＤ２０５の消し忘れによる無駄な電力消費を抑えたり、装着されていたアクセサリが取り外された際にＬＥＤ２０５を自動点灯させたりすることができる。
【００４０】
なお、上記実施例では、受光素子２０７から出力されるアクセサリ非装着状態および装着状態を示す光検出信号のそれぞれに応じてＬＥＤ２０７の点灯および消灯制御等を行う場合について説明した。しかし、アクセサリ非装着状態および装着状態のうち少なくとも一方を示す光検出信号に応じてＬＥＤ２０７の点灯または消灯制御等を行うようにしてもよい。
【００４１】
またも上記実施例では、交換レンズ２に設けられた受光素子２０７からの光検出信号を受けたカメラＣＰＵ１２がＬＥＤ２０５の点灯および消灯制御等を行う場合について説明した。しかし、受光素子２０７からの光検出信号を受けたレンズＣＰＵ２５が制御手段としてＬＥＤ２０５の点灯および消灯制御等を行うようにしてもよい。また、上記実施例のようなレンズ交換型のカメラ１ではなく、鏡筒部を一体に有するレンズ一体型カメラ（光学機器）において、鏡筒部に設けられた受光素子からの光検出信号に応じてカメラＣＰＵがＬＥＤの点灯および消灯制御等を行うようにしてもよい。
【００４２】
さらに、カメラＣＰＵ１２は、受光素子２０７からの光検出信号に応じてＬＥＤ２０５の消灯や点灯等を制御することに加えて、該光検出信号に基づいて外光の明るさを判定し、その判定結果に応じてＬＥＤ２０５の発光輝度や発光量を制御してもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４３】
また、ＬＥＤ２０５に電力が供給されているときには、常にＬＥＤ２０５を第１の出力で点灯させておき、アクセサリの装着状態が検出されたら第１の出力よりも低い第２の出力でＬＥＤ２０５を点灯させておいてもよい。さらに、アクセサリの非装着状態が検出されたら第１の出力よりも高い第３の出力でＬＥＤ２０５を点灯させてもよい。つまり、カメラ１の電源が入っているときには常にＬＥＤ２０５を低出力で点灯させておくことで、撮影に必要なＬＥＤ２０５の出力に短時間で達することができる。さらに、アクセサリの装着時にはＬＥＤ２０５の出力を低下させることで省電力化も可能となる。
【００４４】
以上説明した各実施例は代表的な例にすぎず、本発明の実施に際しては、各実施例に対して種々の変形や変更が可能である。
【符号の説明】
【００４５】
２  交換レンズ
２０５  ＬＥＤ
２０７  受光素子
２０８  アクセサリ保持枠
３  レンズフード
４  レンズキャップ
【図１】
2017142411.tif 000003
【図２】
2017142411.tif 000004
【図３】
2017142411.tif 000005
【図４】
2017142411.tif 000006
【図５】
2017142411.tif 000007
【図６】
2017142411.tif 000008